(57)【要約】【課題】限られたスペースに設置されるスピーカにおいても、音質が改善された演出音を生成することで、遊技の興趣を高めることができる弾球遊技機を提供すること。【解決手段】スピーカ装置１は、弾球遊技機としてのパチンコ機２のフロントドア（窓扉）２０に配置された遊技表示部としてのフロントドアレンズ２１の裏面側に取付けられ、そのスピーカ１０の放音部１０ａがパチンコ機１の正面左右にステレオ式に配置されている。また、前記スピーカ装置１の裏面には、それぞれ開口部１１が形成されており、スピーカ１０の音質が改善されるようになっている。【選択図】        図３
2004187911.tif 000002
【特許請求の範囲】
【請求項１】
遊技の主たる制御を行う遊技制御手段と、前記遊技制御手段の制御に基づいて表示に関する制御を行う表示制御手段と、前記遊技制御手段の制御に基づいて音声に関する制御を行う音声制御手段と、この音声制御手段により駆動されるスピーカを備える弾球遊技機において、
前記スピーカの放音部を臨ませる領域を除き、スピーカを囲い込むと共に、スピーカの背面側に開口部を形成したエンクロージャによりスピーカ装置を構成したことを特徴とする弾球遊技機。
【請求項２】
前記開口部は、前記放音部の中心からずれ、且つ、エンクロージャの正面側に向かい突出する管状部からなっていることを特徴とする請求項１に記載の弾球遊技機。
【請求項３】
前記エンクロージャ内に、遊技表示部用の基板を配置したことを特徴とする請求項１または２に記載の弾球遊技機。
【請求項４】
前記エンクロージャの内側に吸音材を貼りつけたことを特徴とする請求項１乃至３の何れかに記載の弾球遊技機。
【発明の詳細な説明】
【発明の属する技術分野】
【０００１】
本発明は、パチンコ機等の遊技機に関し、特にスピーカを内蔵した弾球遊技機に関する。
【０００２】
【従来の技術】
パチンコ機をはじめとする遊技機に内蔵されているスピーカは遊技状態を演出し、報知する重要な装置であり、音質が良好であることが望ましいが、単純にスピーカ単体で遊技機筐体に取付けられている場合が多い。
【０００３】
一方で、次のような改良技術も存在している。
例えば、特許文献１では、エンクロージャ１４２にスピーカユニット１４３を装着したスピーカ装置１４１を、前枠２に対して裏面側から装着し、効果音等を音質を高めている。
また、特許文献２では、スピーカユニットを前壁に装着し、同前壁と後壁との間の空間を中間壁にて包囲して同空間を外部と区画し、同スピーカユニットから後方に向かって発生する逆相の音波を遮断した構成が開示され、スピーカユニットのコーンの裏面側に出た逆相の低音は前壁側に回り込むことができず、正相の低音と打ち消し合うことがない旨の記載が見られる。
【０００４】
【特許文献１】
特開２００２−１７７４７６号公報（第１１頁段落００９７、図９）
【特許文献２】
特開２０００−３０８７４４号公報（第２頁段落０００４、図６）
【０００５】
【発明が解決しようとする課題】
しかし、遊技機内の限られたスペースを利用して、音質を向上させるため前記エンクロージャ等の容積等を広げるような工夫にも限界がある。
また、特許文献１のようにバスレフ部１４４を前方に臨ませたり、特許文献２のように発射レール４７の下部にバスレフ部に相当する第２の透孔４９を形成した場合、その孔を通じて、異物を挿入する等の不正行為が行われる恐れがある。
【０００６】
そこで、本願発明は、上記問題を生じることなく、且つ、限られたスペースに設置されるスピーカにおいても、音質が改善された演出音を生成することで、遊技の興趣を高めることができる弾球遊技機を提供することを目的とする。
【０００７】
【課題を解決するための手段】
上記課題を解決するため、本願発明に係る弾球遊技機は、遊技の主たる制御を行う遊技制御手段と、前記遊技制御手段の制御に基づいて表示に関する制御を行う表示制御手段と、前記遊技制御手段の制御に基づいて音声に関する制御を行う音声制御手段と、この音声制御手段により駆動されるスピーカを備えると共に、そのスピーカの放音部を臨ませる領域を除き、スピーカを囲い込むと共に、スピーカの背面側に開口部を形成したエンクロージャによりスピーカ装置を構成した（請求項１に記載の発明）。
前記エンクロージャを設けることにより、低音域の音質が改善されると共に、前記開口部により、限られた容量のエンクロージャ内外の空気が移動できることになり、空気を振動させるスピーカの振動体（コーン）がダイナミックに作動し、スピーカの音質、特に低音域の音質が改善される。
【０００８】
上記発明において、前記開口部は、前記放音部の中心からずれ、且つ、エンクロージャの正面側に向かい突出する管状部からなっていることが好ましい（請求項２に記載の発明）。
位相反転形のスピーカと同様の効果を奏する。
【０００９】
上記各発明において、前記エンクロージャ内に、遊技表示部用の基板を配置してもよい（請求項３に記載の発明）。
エンクロージャの内部空間を有効活用できる。
【００１０】
上記各発明において、前記エンクロージャの内部に吸音材を取付けることが好ましい（請求項４に記載の発明）。
音質を阻害するような音波を吸収することができる。
【００１１】
【発明の実施の形態】
上記各発明の実施の形態に係る構成例を図面に基づいて説明する。
図１〜図５は、実施形態に係るスピーカ装置を取付けた弾球遊技機の正面図、同スピーカ装置及びフロントドアレンズの要部断面図、同背面図、一部部品を省略した同背面図、同分解斜視図である。図６はスピーカ装置を構成するサブボックスの斜視図、図７は図６のＡ−Ａ線断面図である。図８は、同弾球遊技機の遊技制御回路ブロック図である。
なお、これらの各図、後述の各図において、同一の構成については、同一の符号を付して、重複した説明を省略する。
【００１２】
実施形態に係るスピーカ装置１は、図１及び図２に示したように、パチンコ機２のフロントドア（窓扉）２０に配置された遊技表示部（フロントドアレンズ）２１の裏面側に取付けられ、そのスピーカ１０の放音部１０ａが左右にステレオ式に配置されている。前記スピーカ装置１の裏面には、図３に示したように、それぞれ開口部１１が形成されている。
前記フロントドア２０内の遊技盤７０には、一般入賞口７１Ａ〜７１Ｄ、始動通過ゲート７２、始動入賞口７３、大入賞口７４、普通図柄表示装置７５、特別図柄表示装置７６が配置されている。
【００１３】
そして遊技領域７７に打ち込まれた遊技球が前記始動通過ゲート７２を通過すると、普通図柄表示装置７５により普通図柄表示ゲームが行われ、その結果に基づき、前記始動入賞口７３が開き、その入賞に基づき特別図柄表示装置７６により特別図柄表示ゲームが行われ、特定の図柄が揃うと「大当たり」となり、前記大入賞口７４が開閉され、賞球獲得のチャンスが増大する。
このような遊技状態の進行に応じて、前記スピーカ装置１により、スピーカ１０の音質、特に低音域の音質が改善された遊技音が鳴らされて、遊技の興趣を高めるようなパチンコ機２となっている。
【００１４】
前記左右のスピーカ装置１は、それぞれ、略同一の構成であるので、右側のスピーカ装置１を左側のスピーカ装置１に代表させて説明する。
【００１５】
スピーカ装置１は、図２乃至図５のように、前記開口部１１を形成したサブボックス１２とフロントドアレンズ２１によって、エンクロージャ（密閉ボックス部）１３を形成して、その中に、前記スピーカ１０を収容して構成されている。
【００１６】
前記スピーカ１０はスピーカブラケット１４を介して前記フロントドア２１に取付られている。スピーカ１０の放音部１０ａを外部に臨ませる領域として、前記エンクロージャ１３に通音孔１３ａが設けられている。なお、図２の「１５」で示すものは、スピーカネットである。
【００１７】
前記サブボックス１２は、上述の通り前記フロントドアレンズ２１と共にスピーカ１０を密閉するエンクロージャ１３を形成するもので、前記フロントドアレンズ２１に密着して取付けられている。
具体的には、前記サブボックス１２の外周に設けられた凹溝１２ａに、その凹溝１２ａに対応するように形成された前記フロントドアレンズ２１の取付枠２１ｂが嵌めこまれ、かつ、サブボックス１２の裏面から前方に突出形成された止着柱１２ｂによりフロントドアレンズにネジ止されている。
【００１８】
前記開口部１１は、限られた容積の前記エンクロージャ１３の内外の空間を移動自在にするもので、この開口部１１により、前記スピーカ１０の放音部１０ａのコーンの振動動作がダイナミックになり、容積が少ないエンクロージャ１３であっても、高音域のみならず、低音域特性を改善させることができる。
【００１９】
前記開口部１１の形状は単なる孔でもよく、またその位置は、前記サブボックス１２の何れの場所でもよい。また開口部１１の大きさ及び長さを変えることによってスピーカ１０の求める低音域特性に改善することができる。
この実施形態では、図５、図６等に図示されているように、前記サブボックス１２の裏面から前記フロントドアレンズ２１に向かって、前記サブボックス１２の裏面に対し略垂直に突出した管状部によって形成されている。またその位置は、前記スピーカ１０の中心から、内側方向にずらして設けられている。
これは、前記スピーカ１０のコーン背面から放射される低音域の音波の位相を反転させて、前記エンクロージャ１３外に放射させる効果を奏する構成で、低音域の音質の改善をさらに図るものである。
【００２０】
なお、前記開口部１１の後方は、前記フロントドアの上部２０ａに面しており、音波が、前方等に反射するようになっている。
【００２１】
以上のスピーカ装置１によれば、第１に、前記フロントドアレンズ２１の裏面のスペースを活用しつつ、サブボックス１２と共にエンクロージャ１３を形成したことにより、前記スピーカ１０の低音域の特性を向上させることができる、第２に、その限られたスペースのエンクロージャ１３に開口部１１を形成したことにより、前記エンクロージャ１３の内外の空気が流動して実質的にエンクロージャ１３の容積が拡大され、前記スピーカ１０の特性を向上させることができる、第３に、開口部１１を管状に形成することにより、位相反転形（バスレフ）と同様な音質改善を図ることができる等の効果を奏する。
よって音質の改善された演出音が生成され、遊技の興趣を高めることができる弾球遊技機を提供することができる。
【００２２】
なお、上記実施形態では、左右のサブボックス１２は別体に形成されていたが、これらを一体成形し、その間に仕切板を設けてもよい。また、フロントドアレンズ２１とサブボックス１２を接着剤により接着してもよい。さらに、前記ステレオ装置１はステレオ式ではなく、モノラル式でもよい。
【００２３】
図５に示したように、前記スピーカブラケット１３にスピーカＬＥＤの発光動作の制御信号用の基板３を取付けたり、前記サブボックス１２の裏面の取付部１２ｃを介してスピーカ１０の放音動作の制御信号用の基板４を取付けても良い。
これらの構成によれば、エンクロージャ１３の内部に、各基板３，４が収容されることになり、エンクロージャ１３の限られた空間を有効に活用でき、また、制御対象であるＬＥＤ５や前記スピーカ１０の近傍に基板を配置でき、それらの動作の時間的ロスを少なくでき、さらに基板３，４の汚染を防ぐこともできる。
【００２４】
前記エンクロージャ１３の内部に吸音材（図示せず）を貼り付けて、エンクロージャ１３内に生じる定在波がコーンにおよばす影響を抑えてもよい。
【００２５】
以上、前記スピーカ装置１を中心に前記パチンコ機２の構成例を説明したが、このパチンコ機２は、図８に示すような遊技制御回路によって制御されている。
この遊技制御回路は、遊技の主たる制御を行う遊技制御手段８を備え、この遊技制御手段８には、前記始動通過ゲート７２の遊技球の通過を検出する始動入賞玉検出器７２ａ、各入賞口７１Ａ〜７１Ｄ、７３、７４への遊技球の入賞数をカウントする入賞個数検出器７１ａ、前記始動入賞口７３への遊技球の入賞を検出する特定入賞玉検出器７３ａからの信号を、それぞれ検出する検出回路８Ａ、前記スピーカ１０を接続すると共に、前記遊技制御手段８からの制御信号に基づいて音声制御を行う音声制御手段８Ｂ、前記普通図柄表示装置７５、前記特別図柄表示装置７６、装飾ＬＥＤ７７ａ、装飾ランプ７７ｂ、始動入賞記憶表示器７８ａ、入賞個数表示器７８ｂ等を接続すると共に、前記遊技制御手段８からの制御信号に基づいての前記各表示器の表示制御を行う表示制御手段８Ｃ、前記始動入賞口７３の開閉を行うソレノイド７３ｂ、前記大入賞口７４の開閉を行うソレノイド７４ｂを接続すると共に、前記遊技制御手段８からの制御信号に基づいて、各ソレノイドの動作制御を行うソレノイド駆動回路８Ｄがそれぞれ接続されている。
前記音声制御手段８Ｂには、電子音やメッセージ音声等を生成する音声合成回路とメモリが内蔵されており、前記遊技制御手段８からの制御信号に基づき、前記パチンコ機２の遊技状態に応じて、前記スピーカ１０より、遊技を盛り上げる効果音等が鳴らされる。
特に、前記スピーカ１０の背面側のエンクロージャ１３に開口部１１を形成したことにより、前記スピーカ１０の低音域の特性が改善されることから、遊技者は高品質の音質を楽しみつつ、普通図柄表示ゲームや特別図柄表示ゲームを行うことができる。
【００２６】
上記各部材１２，２１は、有色、無色の半透明ＡＢＳ樹脂等で成形されている。
前記スピーカ装置１は、パチンコ機２の上部にもうけられているが、その設置位置は特定の場所に限定されるものではなく、例えば、発射レール６（図１）の裏面など、どこでもよい。
前記実施形態では弾球遊技機のパチンコ機について説明したが、パチスロ機、その他の遊技機に上記スピーカ装置１を取付けることにより、音質が改善された演出音を生成することで、遊技の興趣を高めることができる。
【００２７】
【発明の効果】
請求項１に記載の発明によれば、前記エンクロージャにより、音質が改善されると共に、開口部により、前記エンクロージャの容積を実質的に拡大させることができ、スピーカの低音域再生を改善できる。
【００２８】
請求項２に記載の発明によれば、位相反転形のスピーカと同様の効果を奏し、低音域再生を改善できる。
【００２９】
請求項３に記載の発明によれば、エンクロージャの内部空間を有効活用できる。
【００３０】
請求項４に記載の発明によれば、音質を阻害するような波を吸収することができ、特にエンクロージャの容積が小さい場合に有効である。
【図面の簡単な説明】
【図１】実施形態に係る弾球遊技機の正面図、
【図２】同弾球遊技機のスピーカ装置を取付けたフロントドアレンズの断面図、
【図３】同背面斜視図、
【図４】一部部品を除いた同背面斜視図、
【図５】同分解斜視図、
【図６】同スピーカ装置を構成するサブボックスの斜視図、
【図７】図７のサブボックスのＡ−Ａ線断面図、
【図８】同遊技機の遊技制御回路ブロック図。
【符号の説明】
１  スピーカ装置                    １０  スピーカ
１０ａ  放音部                      １１  開口部
１２  サブボックス                  １２ａ  凹溝
１２ｂ  止着柱                      １２ｃ  取付部
１３  エンクロージャ                １３ａ  通音孔
１４  スピーカブラケット            １５  スピーカネット
２  パチンコ機                      ２０  フロントドア（窓扉）
２０ａ  上部
２１  フロントドアレンズ
２１ｂ  取付枠
３  ４  基板
５  ５Ａ  ５Ｂ  ＬＥＤ
６  発射装置
７０  遊技盤
７１Ａ〜７１Ｄ  一般入賞口          ７１ａ  入賞個数検出器
７２  始動通過ゲート                ７３  始動入賞口
７２ａ  始動入賞玉検出器            ７３ａ  特定入賞玉検出器
７３ｂ  ソレノイド
７４  大入賞口
７４ａ  遊技球供給枠                ７４ｂ  ソレノイド
７５  普通図柄表示装置
７６  特別図柄表示装置              ７７  遊技領域
７７ａ  装飾ＬＥＤ                  ７７ｂ  装飾ランプ
７８ａ  始動入賞記憶表示器          ７８ｂ  入賞個数表示器
【図１】
2004187911.tif 000003
【図２】
2004187911.tif 000004
【図３】
2004187911.tif 000005
【図４】
2004187911.tif 000006
【図５】
2004187911.tif 000007
【図６】
2004187911.tif 000008
【図７】
2004187911.tif 000009
【図８】
2004187911.tif 000010